(57)【要約】【課題】  点検の際に広い視野範囲を確保して、昇降路内の種々の部品や部位を有効に目視して高い精度で点検することができ、また点検窓の位置の制約を少なくすることができるエレベータの点検窓装置を提供する。【解決手段】  エレベータの乗り場１からエレベータの昇降路２内を目視することが可能な点検窓１８と、点検窓１８に設けられ、エレベータの乗り場１からエレベータの昇降路２内を目視する際の視線の光を反射させるとともに、角度調整手段によりその目視による昇降路２内での視野範囲を変えることが可能な反射鏡２０とを備える。反射鏡２０としては、反射面が平面形状の平面鏡、反射面が凸形状の凸面鏡、反射面が凹形状の凹面鏡を採用することが可能である。【選択図】    図１
2010006570.tif 000002
【特許請求の範囲】
【請求項１】
エレベータの乗り場からエレベータの昇降路内を目視することが可能な点検窓と、
前記点検窓に設けられ、エレベータの乗り場からエレベータの昇降路内を目視する際の視線の光を反射させるとともに、角度調整手段によりその目視による前記昇降路内での視野範囲を変えることが可能な反射鏡と、
を備えることを特徴とするエレベータの点検窓装置。
【請求項２】
前記反射鏡は、角度調整手段として上下左右に角度を変えることが可能な自在回転具を介して前記点検窓の近傍に支持されていることを特徴とする請求項１に記載のエレベータの点検窓装置。
【請求項３】
前記反射鏡は、反射面が平面形状の平面鏡、反射面が凸形状の凸面鏡、反射面が凹形状の凹面鏡のうちのいずれか１つ形態の鏡であることを特徴とする請求項１又は２に記載のエレベータの点検窓装置。
【請求項４】
前記反射鏡は、角度調整手段により角度調整が可能であるとともに、さらに点検窓の前後方向にスライド機構によりスライド可能であることを特徴とする請求項１又は２に記載のエレベータの点検窓装置。
【請求項５】
前記点検窓には、回動動作で前記点検窓を開閉するカバーが設けられ、このカバーが反射鏡として機能することを特徴とする請求項１に記載のエレベータの点検窓装置。
【請求項６】
前記点検窓には前記反射鏡と併せてさらに前記昇降路内を観察することが可能な望遠鏡が設けられていることを特徴とする請求項１又は２に記載のエレベータの点検窓装置。
【請求項７】
前記昇降路内には前記反射鏡で反射した光をさらに前記昇降路内の別の視野方向に反射させることが可能な副反射鏡が設けられていることを特徴とする請求項１又は２に記載のエレベータの点検窓装置。
【発明の詳細な説明】
【技術分野】
【０００１】
この発明は、エレベータの乗り場側からその内側の昇降路内部を目視して点検するために設けられるエレベータの点検窓装置に関する。
【背景技術】
【０００２】
図１３にはエレベータの乗り場１の外観を、図１４には昇降路２の断面構造をそれぞれ示してある。乗り場１の壁面３には乗り場口４が設けられ、この乗り場口４にその開閉用の乗り場ドア装置５が設置されている。
【０００３】
昇降路２内には乗りかご６及びつり合い重り７が設けられ、これら乗りかご６及びつり合い重り７がそれぞれガイドレール８，９に沿って上下に昇降移動する。乗りかご６の前面には、乗り場ドア装置５と連動して開閉動作するかごドア装置１０が設けられている。
【０００４】
さらに昇降路２内には、調速器（図示せず）に掛け合わされたガバナロープ１１が垂直に張設され、このガバナロープ１１の途中が乗りかご６の下部の非常止め装置（図示せず）に連結されている。なお、１２は乗り場口４に据え付けられた三方枠である。
【０００５】
このようなエレベータにおいて、乗り場１の壁面３に、その内側の昇降路２の内部を乗り場１側から目視して点検するための点検窓装置１４が設けられている場合がある。このような点検窓装置１４については、特開２００７−８４２６０公報の段落［０００６］に記載されている。
【０００６】
点検窓装置１４は、壁面３に形成された縦長の開口１５に金属製のボックス１６を嵌め込んでなる。ボックス１６の外観を図１５に示してある。ボックス１６の背面には点検窓１８が形成され、この点検窓１８を通して昇降路２内の乗りかご６の非常止め装置や調速器のガバナロープ１１などの各種の部品や部位を目視して点検することができるようになっている。そしてボックス１６内には、乗りかご６や調速器を駆動し、あるいは制動をかけるための各種の操作機器類（図示せず）などが収納されている。なお、図１３及び図１４に示すように、ボックス１６の前面の開口部にはその開閉用の扉１７が設けられている。図１５においては、扉１７を省略してある。
【特許文献１】特開２００７−８４２６０公報  段落［０００６］
【発明の開示】
【発明が解決しようとする課題】
【０００７】
しかしながら、従来の点検窓装置１４においては、単なる点検窓１８としての開口が形成されているだけで、昇降路２内を目視する際の視野範囲があまり広くなく、昇降路２内の種々の部品や部位を広範囲に渡って有効に目視して点検するようなことができない。また、点検窓１８は、昇降路２内の点検対象物と直接対向するような位置に設けなければならないから、点検窓１８の設置位置に制約が生じてしまう。
【０００８】
この発明はこのような点に着目してなされたもので、その目的とするところは、点検の際に広い視野範囲を確保して、昇降路内の種々の部品や部位を有効に目視して高い精度で点検することができ、また点検窓の位置の制約を少なくすることができるエレベータの点検窓装置を提供することにある。
【課題を解決するための手段】
【０００９】
このような目的を達成するために、請求項１の発明は、エレベータの乗り場からエレベータの昇降路内を目視することが可能な点検窓と、前記点検窓に設けられ、エレベータの乗り場からエレベータの昇降路内を目視する際の視線の光を反射させるとともに、角度調整手段によりその目視による前記昇降路内での視野範囲を変えることが可能な反射鏡とを備えることを特徴としている。
【００１０】
請求項２の発明は、前記反射鏡が、角度調整手段として上下左右に角度を変えることが可能な自在回転具を介して前記点検窓の近傍に支持されていることを特徴とする。
【００１１】
請求項３の発明は、前記反射鏡が、反射面が平面形状の平面鏡、反射面が凸形状の凸面鏡、反射面が凹形状の凹面鏡のうちのいずれか１つ形態の鏡であることを特徴としている。
【００１２】
請求項４の発明は、前記反射鏡が、角度調整手段により角度調整が可能であるとともに、さらに点検窓の前後方向にスライド機構によりスライド可能であることを特徴としている。
【００１３】
請求項５の発明は、前記点検窓には、回動動作で前記点検窓を開閉するカバーが設けられ、このカバーが反射鏡として機能することを特徴としている。
【００１４】
請求項６の発明は、前記点検窓には前記反射鏡と併せてさらに前記昇降路内を観察することが可能な望遠鏡が設けられていることを特徴としている。
【００１５】
請求項７の発明は、前記昇降路内には前記反射鏡で反射した光をさらに前記昇降路内の別の視野方向に反射させることが可能な副反射鏡が設けられていることを特徴としている。
【発明の効果】
【００１６】
この発明によれば、点検の際に広い視野範囲を確保して、昇降路内の種々の部品や部位を有効に目視して高い精度で点検することができ、また点検窓の位置の制約を少なくすることができる。
【発明を実施するための最良の形態】
【００１７】
以下、この発明の実施の形態について図面を参照して説明する。なお、従来の構成と対応する部分については図中に同一の符号を付して重複する説明を省略する。
【００１８】
図１乃至図３には第１の実施形態を示してある。この実施形態においては、エレベータの乗り場１の壁面３にボックス１６が嵌め込まれ、このボックス１６の背面に点検窓１８が形成されているとともに、ボックス１６内には点検窓１８の一側縁寄りに位置して反射鏡２０が設けられている。
【００１９】
反射鏡２０は縦長で表面の反射面が平面形状の平面鏡であり、この反射鏡２０は背面に設けられたユニバーサルジョイントやフレキシブルアームなどの自在回転具２１を介して上下左右に回転可能に支持され、その回転動作で反射面の角度を上下左右に変えることができるようになっている。自在回転具２１はブラケット２２を介してボックス１６に支持されている。
【００２０】
このような構成においては、昇降路２内のガバナロープ１１や乗りかご６の下部の非常止め装置などの点検対象物を点検する際に、乗り場１から点検窓１８を通して点検対象物を目視することになるが、その点検対象物を直接目視することができないときには、反射鏡２０を介して目視する。すなわち、視線の光を反射鏡２０で反射させて昇降路２内を目視する。この際、反射鏡２０の角度を自在回転具２１を介して上下左右に変えることによりその視野範囲が広がるため、昇降路２内の点検対象物を的確に捉えて目視することができ、また点検対象物を種々の方向から観察でき、さらに点検対象物の周辺部の広い範囲の状況も確認することができる。
【００２１】
そして、反射鏡２０の角度を変えることで、昇降路２内の広い範囲を目視することできるから、特に点検対象物と点検窓１８とが直接対向しないような場合であってもよく、したがって点検窓１８を設置する位置の制約が少なくなる。
【００２２】
図４及び図５には第２の実施形態を示してあり、この実施形態では反射鏡２０の表面の反射面が凸形状の凸面鏡となっている。他の部分は第１の実施形態と同様の構成である。
【００２３】
この第２の実施形態では、反射鏡２０が凸面鏡であるため、この反射鏡２０を通して昇降路２内を目視する際の視野範囲が拡大される。したがって、反射鏡２０の角度を大きく変えることなく、昇降路２内の点検対象物を効率よく観察して点検することができる。
【００２４】
図６及び図７には第３の実施形態を示してあり、この実施形態では反射鏡２０表面の反射面が凹形状の凹面鏡となっている。他の部分は第１の実施形態と同様の構成である。
【００２５】
この第３の実施形態では、反射鏡２０が凹面鏡であるため、この反射鏡２０を通して昇降路２内の点検対象物を目視した際にその点検対象物を鮮明に視認することができる。
【００２６】
図８には第４の実施形態を示してあり、この実施形態では反射鏡２０が第１の実施形態の場合と同様に平面鏡であって、この平面鏡からなる反射鏡２０が上下左右に角度を変えることが可能であるとともに、さらに点検窓１８の前後方向にスライド可能となっている。
【００２７】
すなわち、反射鏡２０は上下縁が断面コ字状のガイドレール２４を介して点検窓１８の前後方向にスライド可能に支持されている。そして上下のガイドレール２４がブラケット２５を介して自在回転具２１に取り付けられ、これにより反射鏡２０の全体がガイドレール２４と一体的に上下左右に角度を変えることができるとともにガイドレール２４に沿って点検窓１８の前後方向にスライドすることが可能となっている。
【００２８】
この構成においては、第１の実施形態の場合と同様に、反射鏡２０の角度を調整することで点検対象物を種々の方向から広い範囲に渡って目視することができるとともに、鎖線で示すように反射鏡２０をガイドレール２４に沿ってスライドさせて点検窓１８から昇降路２側に大きく突出させることで、より死角を少なくして視野範囲をより拡大することができる。
【００２９】
図９には第５の実施形態を示してあり、この実施形態では第１の実施形態の構成に加え、点検窓１８に望遠鏡２８が併設されている。この望遠鏡２８はブラケット２９を介してボックス１６に取り付けられ、向きを上下左右に変えることができるように支持されている。
【００３０】
この構成においては、第１の実施形態の場合と同様に、反射鏡２０の角度を調整することで点検対象物を種々の方向から広い範囲に渡って目視することができる。そして、特に点検窓１８から遠方にある用品やロープ類などの点検対象物を点検する際には、望遠鏡２８でその点検対象物を観察する。この場合、その点検対象物を望遠鏡２８で拡大して目視でき、例えばロープ類の破断状況なども点検することができる。
【００３１】
図１０には第６の実施形態を示してあり、この実施形態では第１の実施形態の構成に加え、点検窓１８に例えばスポットライト式の照明灯３１が設けられている。この照明灯３１はブラケット３２を介してボックス１６に取り付けられ、向きを上下左右に変えることができるように支持されている。
【００３２】
この構成においては、第１の実施形態の場合と同様に、反射鏡２０の角度を調整することで点検対象物を種々の方向から広い範囲に渡って目視することができる。そして昇降路２内が暗い場合に照明灯３１を点灯して点検対象物やその周辺に光を照射することで、点検対象物を明るく照らして作業性よく点検することができる。
【００３３】
図１１には第７の実施形態を示してあり、この実施形態では点検窓１８の一側縁に点検窓１８を開閉するカバー３５がヒンジ３６を介して回動可能に取り付けられ、このカバー３５が反射鏡を兼ねる構成となっている。すなわち、カバー３５は例えば素材がアクリルで、少なくとも昇降路２側に向く一方の面が金属蒸着膜などからなる反射面となっていて、このカバー３５の反射面を介して昇降路２内を目視することができるようになっている。
【００３４】
この実施形態ではヒンジ３６が角度調整機構として機能し、このヒンジ３６を支点にカバー３５を左右に回動することで、反射面の向きを変えて視野範囲を広げることができる。
【００３５】
このような構成によれば、点検作業時には、カバー３５を用いて昇降路２内の点検対象物を目視することができるとともに、点検作業が終了し、エレベータを運転するときにはそのカバー３５で点検窓１８を閉じて騒音の漏れなどを防止することができる。そしてカバー３５が点検窓１８の開閉部材と反射鏡とを兼ねる構成であるから、部品点数を削減して低コストとすることができる利点がある。
【００３６】
図１２には第８の実施形態を示してあり、この実施形態では第１の実施形態の構成に加え、昇降路２内の隅部に副反射鏡３９が設けられている。この副反射鏡３９は点検窓１８と対向する昇降路２内の奥側の隅部に斜めに設けられ、点検窓１８側から入射する光を乗りかご６の背面側の部位に反射させるようになっている。
【００３７】
この構成においては、第１の実施形態の場合と同様に、点検窓１８に設けられた反射鏡２０を介してその反射鏡２０と対向する点検対象物を種々の方向から広い範囲に渡って目視することができるとともに、さらに乗りかご６の背面側に配置して点検窓１８側からでは直接目視できない点検対象物も副反射鏡３９による反射で目視して点検することができる。
【図面の簡単な説明】
【００３８】
【図１】この発明の第１の実施形態に係る点検窓装置を備えるエレベータにおける昇降路の構造を示す断面図。
【図２】その点検窓装置のボックスの外観を示す斜視図。
【図３】そのボックスの断面図。
【図４】この発明の第２の実施形態に係る点検窓装置のボックスの外観を示す斜視図。
【図５】そのボックスの断面図。
【図６】この発明の第３の実施形態に係る点検窓装置のボックスの外観を示す斜視図。
【図７】そのボックスの断面図。
【図８】この発明の第４の実施形態に係る点検窓装置の要部の構造を示す斜視図。
【図９】この発明の第５の実施形態に係る点検窓装置のボックスの外観を示す斜視図。
【図１０】この発明の第６の実施形態に係る点検窓装置のボックスの外観を示す斜視図。
【図１１】この発明の第７の実施形態に係る点検窓装置のボックスの外観を示す斜視図。
【図１２】この発明の第８の実施形態に係る点検窓装置を備えるエレベータにおける昇降路の構造を示す断面図。
【図１３】従来の点検窓装置の設置状態を示す斜視図。
【図１４】従来の点検窓装置を備えるエレベータにおける昇降路の構造を示す断面図。
【図１５】従来の点検窓装置のボックスの外観を示す斜視図。
【符号の説明】
【００３９】
１…乗り場
２…昇降路
３…壁面
４…乗り場口
８．９…ガイドレール
１１…ガバナロープ
１４…点検窓装置
１５…開口
１６…ボックス
１７…扉
１８…点検窓
２０…反射鏡
２１…自在回転具
２４…ガイドレール
２８…望遠鏡
３１…照明灯
３５…カバー
３６…ヒンジ
３９…副反射鏡
【図１】
2010006570.tif 000003
【図２】
2010006570.tif 000004
【図３】
2010006570.tif 000005
【図４】
2010006570.tif 000006
【図５】
2010006570.tif 000007
【図６】
2010006570.tif 000008
【図７】
2010006570.tif 000009
【図８】
2010006570.tif 000010
【図９】
2010006570.tif 000011
【図１０】
2010006570.tif 000012
【図１１】
2010006570.tif 000013
【図１２】
2010006570.tif 000014
【図１３】
2010006570.tif 000015
【図１４】
2010006570.tif 000016
【図１５】
2010006570.tif 000017